(57)【要約】【課題】回転体が保持する朱肉皿の脱着交換が容易にできて、手や衣服等をインクで汚す心配が少なく、又、朱肉皿の脱着の際に回転体をケースから外す必要がない印鑑ホルダーを提供する。【解決手段】印鑑４０を着脱自在としたケースに、朱肉皿８を保持した回転体１０を取り付けて、非捺印時にその回転体１０と朱肉皿８をケースの内部に没入させて印鑑４０の印面４１に朱肉９のインクを付着可能になすとともに、回転体１０と朱肉皿８をケースの外部へ突出させた状態で印鑑４０を下降させることにより捺印を可能とした印鑑ホルダーにおいて、回転体１０に対し朱肉皿８を横方向へ移動させて脱着自在とする手段を回転体１０と朱肉皿８とに設けたことを特徴とする。【選択図】図１
2006312324.tif 000002
【特許請求の範囲】
【請求項１】
印鑑４０を着脱自在としたケースに、朱肉皿８を保持した回転体１０を取り付けて、非捺印時にその回転体１０と朱肉皿８をケースの内部に没入させて印鑑４０の印面４１に朱肉９のインクを付着可能になすとともに、回転体１０と朱肉皿８をケースの外部へ突出させた状態で印鑑４０を下降させることにより捺印を可能とした印鑑ホルダーにおいて、回転体１０に対し朱肉皿８を横方向へ移動させて脱着自在とする手段を回転体１０と朱肉皿８とに設けたことを特徴とする印鑑ホルダー。
【請求項２】
回転体１０における左右両側の回転腕３５の間に横方向から朱肉皿８を挿入して回転体１０の朱肉皿載置台３４の上に朱肉皿８を載置し、かつ、朱肉皿８の両側の側面７７を両側の回転腕３５の内面７３により挟持可能となし、また、朱肉皿８の両側の側面７７に被係止部７４を設けるとともに、その朱肉皿８を上記のように両側の回転腕３５の間に横方向から挿入したときに弾性変形によりその被係止部７４に係合することができ、かつ、その朱肉皿８を逆方向へ押圧したときに同じく弾性変形によりその被係止部７４から脱出することができる係止部７５を両側の回転腕３５の内面７３に設けた請求項１記載の印鑑ホルダー。
【請求項３】
回転体１０の朱肉皿載置台３４の下面側に被係止凹部６２を設けるとともに、朱肉皿８の底板６３の下側に同底板６３と平行で先端部を自由端とした弾性係止板３８を設けて、朱肉皿８の底板６３と弾性係止板３８との間に朱肉皿載置台３４を挿入可能になすとともに、弾性係止板３８の先端上面部に朱肉皿載置台３４に設けた上記の被係止凹部６２に対して係脱自在な係止爪６４を設けた請求項１記載の印鑑ホルダー。
【請求項４】
回転体１０の朱肉皿載置台３４の下側に同朱肉皿載置台３４に平行な裏板６５を設けるとともに、朱肉皿８の底板６３の下側に同底板６３と平行で先端部を自由端とした弾性係止板３８を設けて、回転体１０の朱肉皿載置台３４と裏板６５との間に朱肉皿８の弾性係止板３８を挿入可能になすとともに、弾性係止板３８の先端下面部に裏板６５の側縁部に対し係脱自在な係止爪６６を設けた請求項１記載の印鑑ホルダー。
【請求項５】
回転体１０の朱肉皿載置台３４の下側に同朱肉皿載置台３４に平行な裏板６５を設けるとともに、朱肉皿８の底板６３の下側に同底板６３と平行で先端部を自由端となし且つその先端部を二股状に分割した弾性係止板３８を設けて、回転体１０の朱肉皿載置台３４と裏板６５との間に朱肉皿８の弾性係止板３８を挿入可能になすとともに、弾性係止板３８における二股状分割片６７のそれぞれの側縁部に回転体１０の裏板６５の両端を朱肉皿載置台３４に接続する側板６８の側縁部に対し係脱自在な係止爪６９を設けた請求項１記載の印鑑ホルダー。
【請求項６】
回転体１０の朱肉皿載置台３４を断面円形の丸棒状となし、又、朱肉皿８の底板６３の下面側に略半筒状を呈して丸棒状の朱肉皿載置台３４の外周部に嵌脱自在で且つその嵌着状態において朱肉皿載置台３４の周方向へ摺接しながら回動可能な弾性挟止片７０を設け、又、回転体１０の回転腕３５の側縁部に被係止フック７１を設けるとともに、同被係止フック７１に対し係脱自在な突起７２を朱肉皿８の側面部に設けた請求項１記載の印鑑ホルダー。
【発明の詳細な説明】
【技術分野】
【０００１】
本発明は印鑑ホルダーに関する。
【背景技術】
【０００２】
従来、朱肉を使用する印鑑は、柘や象牙等の硬質の印材に印面を刻設したものが一般的である。このような印鑑は、朱肉と共にケースに収納して保管又は携帯するので、頻繁に使用する場合、ケースから一々印鑑を取り出すのが煩わしく、又、朱肉を印面に一々付着させるのが面倒であった。そこで、このような不満を解消するために、印鑑を使用する度にケースから取り出して朱肉を印面に付着させる面倒のない印鑑ホルダーが考案され、特許文献１から１０等に開示されている。
【０００３】
そして、これら公知の印鑑ホルダーは、一般的に、下ケースと、下ケースに対し上下方向へスライド自在な上ケースと、下ケースに対し上ケースを上方へ付勢するバネと、印鑑を脱着自在で下ケースに対し上下方向へスライド自在で且つ上ケースに押されて下降可能な内筒と、朱肉を保持した朱肉皿を下端部に取り付けて上ケースの上昇位置で内筒に装着した印鑑の下方をその朱肉皿で遮蔽した状態を維持するとともに上ケースの下降と連動してその朱肉皿を取り付けた下端部を上ケース及び下ケースの外部へ露出させる方向へ回転し且つ上ケースの上昇と連動してその朱肉皿を取り付けた下端部を再び上ケース及び下ケースの内部へ没入させる方向へ回転する回転体を具えて構成されている。
【０００４】
ところで、このような印鑑ホルダーは、朱肉のインクが減少して捺印の印影が薄くなったときに朱肉に対してインクを補充するか、朱肉皿ごと交換する必要がある。インクの補充は経済的ではあるが、使用して減ったインクの量が使用者にはよく判らないので、誤ってインクの補充量を過剰にすることがあり、インクが溢れて衣服や手を汚す弊害があった。また、朱肉皿は、例えば、回転体に対し金属製のシャフトを用いて位置決めし且つ固定することが多く、さらに、その金属製シャフトの両端に保護及び抜け防止用の樹脂製の小さなキャップを嵌着することも多いので、朱肉皿を交換する場合は、まず、キャップをピンセットやドライバー等の工具で外し、次に金属製シャフトを引き抜いて朱肉皿を外すという手順が必要で、極めて面倒であった。また、金属製シャフトを引き抜くのも素手だけでは無理で、やはり工具を使用する必要があり、金属製シャフトの外し方によっては朱肉皿が手から転げ落ちてやはりインクにより手や衣服等を汚してしまう弊害があった。また、回転体の下端部に朱肉皿載置台を設けて、その朱肉皿載置台に朱肉皿を上方から着脱自在としたものも存在するが、このような構造のものは、朱肉皿を交換する場合は回転体を外す必要があり、やはり煩わしいという不満がある。
【０００５】
【特許文献１】特開平１０−２３５９８１号公報
【特許文献２】実公平７−５１３３６号公報
【特許文献３】実開平６−１２０５９号公報
【特許文献４】実開平６−１２０５６号公報
【特許文献５】実開平６−１７９５１号公報
【特許文献６】実開平６−１７９５０号公報
【特許文献７】実開平６−１６０６１号公報
【特許文献８】実開平６−３６８５９号公報
【特許文献９】特開平９−３１４９７７号公報
【特許文献１０】特開平１１−１０７８２８号公報
【発明の開示】
【発明が解決しようとする課題】
【０００６】
そこで本発明は上記の問題を解決すること、すなわち、朱肉皿の脱着交換が容易にできて、手や衣服等をインクで汚す心配が少なく、又、朱肉皿の脱着の際に回転体も外す必要がない印鑑ホルダーの提供を課題とする。
【課題を解決するための手段】
【０００７】
上記課題を解決するために、本発明の印鑑ホルダーは、印鑑４０を着脱自在としたケースに、朱肉皿８を保持した回転体１０を取り付けて、非捺印時にその回転体１０と朱肉皿８をケースの内部に没入させて印鑑４０の印面４１に朱肉９のインクを付着可能になすとともに、回転体１０と朱肉皿８をケースの外部へ突出させた状態で印鑑４０を下降させることにより捺印を可能とした印鑑ホルダーにおいて、回転体１０に対し朱肉皿８を横方向へ移動させて脱着自在とする手段を回転体１０と朱肉皿８とに設けたことを特徴とする、という構成を採るものである。
【０００８】
なお、上記の本発明の印鑑ホルダーにおいて、回転体１０に対し朱肉皿８を横方向へ移動させて脱着自在とする手段として、回転体１０における左右両側の回転腕３５の間に横方向から朱肉皿８を挿入して回転体１０の朱肉皿載置台３４の上に朱肉皿８を載置し、かつ、朱肉皿８の両側の側面７７を両側の回転腕３５の内面７３により挟持可能となし、また、朱肉皿８の両側の側面７７に被係止部７４を設けるとともに、その朱肉皿８を上記のように両側の回転腕３５の間に横方向から挿入したときに弾性変形によりその被係止部７４に係合することができ、かつ、その朱肉皿８を逆方向へ押圧したときに同じく弾性変形によりその被係止部７４から脱出することができる係止部７５を両側の回転腕３５の内面７３に設ける、という構成を採ることが可能である。
【０００９】
同じく、上記の本発明の印鑑ホルダーにおいて、回転体１０に対し朱肉皿８を横方向へ移動させて脱着自在とする手段として、回転体１０の朱肉皿載置台３４の下面側に被係止凹部６２を設けるとともに、朱肉皿８の底板６３の下側に同底板６３と平行で先端部を自由端とした弾性係止板３８を設けて、朱肉皿８の底板６３と弾性係止板３８との間に朱肉皿載置台３４を挿入可能になすとともに、弾性係止板３８の先端上面部に朱肉皿載置台３４に設けた上記の被係止凹部６２に対して係脱自在な係止爪６４を設ける、という構成を採ることも可能である。
【００１０】
同じく、上記の本発明の印鑑ホルダーにおいて、回転体１０に対し朱肉皿８を横方向へ移動させて脱着自在とする手段として、回転体１０の朱肉皿載置台３４の下側に同朱肉皿載置台３４に平行な裏板６５を設けるとともに、朱肉皿８の底板６３の下側に同底板６３と平行で先端部を自由端とした弾性係止板３８を設けて、回転体１０の朱肉皿載置台３４と裏板６５との間に朱肉皿８の弾性係止板３８を挿入可能になすとともに、弾性係止板３８の先端下面部に裏板６５の側縁部に対し係脱自在な係止爪６６を設ける、という構成を採ることも可能である。
【００１１】
同じく、上記の本発明の印鑑ホルダーにおいて、回転体１０に対し朱肉皿８を横方向へ移動させて脱着自在とする手段として、回転体１０の朱肉皿載置台３４の下側に同朱肉皿載置台３４に平行な裏板６５を設けるとともに、朱肉皿８の底板６３の下側に同底板６３と平行で先端部を自由端となし且つその先端部を二股状に分割した弾性係止板３８を設けて、回転体１０の朱肉皿載置台３４と裏板６５との間に朱肉皿８の弾性係止板３８を挿入可能になすとともに、弾性係止板３８における二股状分割片６７のそれぞれの側縁部に回転体１０の裏板６５の両端を朱肉皿載置台３４に接続する側板６８の側縁部に対し係脱自在な係止爪６９を設ける、という構成を採ることも可能である。
【００１２】
同じく、上記の本発明の印鑑ホルダーにおいて、回転体１０に対し朱肉皿８を横方向へ移動させて脱着自在とする手段として、回転体１０の朱肉皿載置台３４を断面円形の丸棒状となし、又、朱肉皿８の底板６３の下面側に略半筒状を呈して丸棒状の朱肉皿載置台３４の外周部に嵌脱自在で且つその嵌着状態において朱肉皿載置台３４の周方向へ摺接しながら回動可能な弾性挟止片７０を設け、又、回転体１０の回転腕３５の側縁部に被係止フック７１を設けるとともに、同被係止フック７１に対し係脱自在な突起７２を朱肉皿８の側面部に設ける、という構成を採ることも可能である。
【発明の効果】
【００１３】
請求項１乃至請求項６記載の本発明の印鑑ホルダーは、いずれも、朱肉皿８の脱着交換が容易にできて、しかも、朱肉皿８の脱着の際に回転体１０を外す必要がないので、操作が煩瑣でなく、使い勝手がよい。また、手や衣服等をインクで汚す心配も少ない。
【発明を実施するための最良の形態】
【００１４】
以下、図を用いて本発明の実施の形態について説明する。まず、図１乃至図５は第１実施例の回転体１０と朱肉皿８の取付構造を示したものである。回転体１０は、図１に示すように、左右一対の回転腕３５を有し、その下端部どうしは朱肉皿載置台３４を介して連続している。左右の回転腕３５は、その内面７３における朱肉皿載置台３４に近い下端部で、かつ、一方の側縁部の近傍に縦向き（回転腕３５の長手方向と同一方向）の凸状のリブを係止部７５として設けるとともに、同じく左右の回転腕３５の内面７３において、その係止部７５の少し上方位置に横向き（回転腕３５の幅方向と同一方向）の押えリブ７６を突設している。また、回転腕３５には縦方向に長いガイド孔３６を設けるとともに、上端の外面側に突起３７を設けている。
【００１５】
朱肉皿８は、上記の回転体１０における左右両側の回転腕３５の間に横方向（ここで横方向とは、回転体１０の回転腕３５に対し垂直な方向を意味する。以下、同じ）から挿入して回転体１０の朱肉皿載置台３４の上に載置可能であり、かつ、その両側の側面７７を両側の回転腕３５の内面７３により挟持されるものである。また、朱肉皿８は、その両側の側面７７に凹状の被係止部７４を設けている。この被係止部７４は側面７７に窪みを形成することにより設けることもできるが、図に示すように、側面７７の曲面部７８に側面７７の平坦部７９と面一になる縦向きのリブ８０を突設して、その縦向きのリブ８０と側面７７の平坦部７９との間の曲面部７８に発生する凹部を被係止部７４とすることができる。そして、朱肉皿８を上記のように両側の回転腕３５の間に横方向から挿入することにより、回転腕３５の弾性変形を利用して、朱肉皿８の被係止部７４に回転腕３５の係止部７５を係合させて、朱肉皿８を回転体１０に固定して取り付けることができる。なお、このとき、回転腕３５に設けた上記の押えリブ７６を朱肉皿８の上面に係止させて、朱肉皿８が朱肉皿載置台３４から浮き上がるのを防止することができる。また、朱肉皿８の一端の側面には、回転腕３５の一方の側縁部に係止して、朱肉皿８が回転腕３５の間を通り抜けて落下するのを防止するツバ部８１を突設することができる。また、その朱肉皿８を逆方向へ押圧することにより、同じく回転腕３５の弾性変形を利用して、朱肉皿８の被係止部７４から回転腕３５の係止部７５を脱出させて、朱肉皿８を回転体１０から取り外すことができる。なお、この実施例では被係止部７４を凹状とし、係止部７５を凸状としているが、これを逆にして、被係止部７４を凸状とし、係止部７５を凹状とすることも可能である。
【００１６】
次に、図６乃至図１０により、上記の第１実施例の回転体１０と朱肉皿８を用いて構成した印鑑ホルダーの一例についてその全体構造を説明する。図６は回転体１０と朱肉皿８以外の、ケース構成部品と、そのケースの内部に装着する部品とを示したものである。すなわち、この印鑑ホルダーは、下ケース１、上ケース２、バネ３、内筒４、バネ受け５、調節ネジ６、内筒係止体７、印鑑固定バネ１１（図７参照）及びロック体４５も構成部品としている。そして、内筒４に印鑑４０（市販されているものを含む）を着脱自在としている。なお、本発明の印鑑ホルダーの構造は、この一例の構造に限定するものではなく、使用する部品もこれらに限定するものではない。
【００１７】
下ケース１は上下両端が開口した断面が矩形の筒状体で、その前側面の下半部に開放窓部１２を有し、左右の横側面に対向するようにカム孔１４を穿設している。このカム孔１４は上下方向の縦孔部１５と、その下端から後側面方向へ円弧状に曲がったカーブ孔部１６とを有し、縦孔部１５とカーブ孔部１６は連続している。また、左右の横側面の内面側には対向するように突起１３を設けている。この突起１３は横側面における前後方向の中央部に位置し、カム孔１４の縦孔部１５の位置は突起１３より僅かに後方へ偏している。また、上端部における左右の横側面に窓孔１７を穿設している。
【００１８】
上ケース２も下端が開口した断面が矩形の筒状体で、その前側面の下半部に切欠開放部１８を有し、左右の横側面に対向するようにカム孔１９を穿設している。このカム孔１９は上下方向の縦孔部２０と、その下端から前側面方向へ曲がった斜孔部２１とを有し、縦孔部２０と斜孔部２１は連続している。また、上端の内面には上下方向のリブ４３（図７参照）を設けている。この上ケース２は、図７に示すように、上記の下ケース１の外側に上下方向へスライド自在に被せられる。また、図７に示すように、この上ケース２は天板４６にロック体取付孔４７を設けて、後述するようにロック体４５を回転自在に取付け可能としている。また、上ケース２のロック体取付孔４７の内面部には、そのロック体４５が回転することにより、そのロック体４５に設けた突起５５（図６参照）が係止可能な突起（図示せず）を２箇所に設けている。
【００１９】
内筒４は、図７に示すように、内孔２２の内部に印鑑固定バネ１１を取り付けて印鑑４０を脱着自在としている。内筒４は、図６に示すように、上下両端を開口した筒状体で、その上端部の外側面における周方向の複数箇所に上下方向のバネ受け装着溝２４を設けている。このバネ受け装着溝２４には周方向の横溝２５が連続し、さらに横溝２５には内筒４の上縁部に開口する縦溝２６が連続している。また、バネ受け装着溝２４の下方には周方向の係止溝２３を設けている。この内筒４は、図７に示すように、下ケース１の内側に上下方向へスライド自在に収納され、その上端部は下ケース１を貫通して上方へ突出する。また、図６に示すように、内筒４は上縁部に上下方向の切欠凹部４８を設けるとともに、その切欠凹部４８の内縁部に周方向のフック係合部４９を連続的に設けている。
【００２０】
バネ受け５は矩形の板状で、内筒４の上端部を挿入可能な中心孔２７を有し、その中心孔２７の内縁の複数箇所に爪片２８を設けている。このバネ受け５は上記の内筒４のバネ受け装着溝２４に上下方向へスライド自在に取り付ける。バネ受け５をバネ受け装着溝２４に取り付けるには、バネ受け５の爪片２８を縦溝２６から横溝２５を通過させてバネ受け装着溝２４に導き入れる。
【００２１】
調節ネジ６は中心部の通孔２９の内面に上下方向の溝を設けている。この調節ネジ６は、図７に示すように、内筒４の上端近傍の内部に形成した雌ネジ４４に螺着させる。
【００２２】
内筒係止体７は、図６に示すように、矩形の基板３０に内筒４を通す中心孔３１を設け、また、基板３０の左右の側縁から下方へ伸びる腕片３２を設け、その腕片３２の下端部に内側へ突出するように湾曲した係止片３３を設けている。この係止片３３はバネ性を有して弾性変形可能である。この内筒係止体７は、図７に示すように、基板３０を下ケース１の上端面に接触させ、その腕片３２を下ケース１の側面に接触させ、その係止片３３を窓孔１７から下ケース１の内部に挿入させて、下ケース１に対し組付ける。係止片３３は下ケース１の内部へ挿入することにより内筒４の側面に設けた係止溝２３に係合可能となる。
【００２３】
バネ３はコイルバネを用い、図７に示すように、その下端を内筒係止体７の基板３０の上面に当接させるとともに、その上端をバネ受け５の下面に当接させる。したがって、バネ受け５は上方へ付勢されて上ケース２の内面に設けたリブ４３の下端に当接し、上ケース２はバネ受け５を介してバネ３により上方へ付勢される。
【００２４】
ロック体４５は、図６に示すように、中心孔５０（図７参照）を有する円板状の頭部５１から下方へ突出する脚部５２を有し、その脚部５２の下端部に周方向のフック５３を設けている。また、このロック体４５は、図７に示すように、その頭部５１の上面に溝５４を設けるとともに、周側面に突起５５を設けている。なお、図示しないが、突起５５の内側に円弧状の切欠孔を設けて、突起５５を径方向へ容易に弾性変形可能としている。
【００２５】
次に、上記の各部品の組付け方法を説明する。まず、ロック体４５を上ケース２の内側に下方から挿入して、その頭部５１を上ケース２の天板４６に設けたロック体取付孔４７に回転自在に取り付ける。
【００２６】
次に、上記のように下ケース１の上端部に内筒係止体７を取付けてから、下ケース１の内部に朱肉皿８を取付けた回転体１０を挿入して、下ケース１の内面に設けた突起１３を回転体１０の回転腕３５に穿設したガイド孔３６に嵌め込むとともに、回転体１０の突起３７を下ケース１のカム孔１４に挿入して回転体１０を下ケース１に取り付ける。
【００２７】
次に、調節ネジ６を螺着した内筒４を下ケース１の内部に下側の開口から挿入して、内筒４の上端部を下ケース１の上側の開口から貫出させるとともに、内筒係止体７の中心孔３１をも貫通させて上方へ突出させる。そして、下ケース１及び内筒係止体７の上方で且つ内筒４の外周部にバネ３を取付けてから、内筒４の上端部に上記のようにバネ受け５を取り付ける。
【００２８】
そして、上記のように内筒４及び回転体１０を取付けた下ケース１を上ケース２の内部に下側の開口から挿入して、回転体１０の突起３７を上ケース１のカム孔１９に嵌め込んで回転体１０を上ケース２に組付ける。このとき、内筒４の上縁部に設けた切欠凹部４８にロック体４５の脚部５２を嵌入させる。
【００２９】
また、図７に示すように、印鑑４０を内筒４の内部に挿入して印鑑固定バネ１１により固定し、その印鑑４０の上端頭部に調節ネジ６の下面を接触させる。なお、上ケース２の天板４６に取付けたロック体４５の頭部５１に設けた中心孔５０から調節ネジ６の通孔２９の溝にレンチ等の工具を入れて回転すると、調節ネジ６は上下方向へ移動するので、この調節ネジ６で印鑑４０を下方へ移動させることによって、印面４１の位置を調整することができる。
【００３０】
次に、作動を説明する。まず、図７及び図８に示すように、バネ３によって上ケース２が下ケース１に対し上昇している状態、すなわち非捺印時には、バネ３の圧力により印鑑４０の印面４１に朱肉９が平行に接触している。すなわち、朱肉皿８が印鑑４０の下方を遮蔽している。このとき、図８に示すように、回転体１０の突起３７は下ケース１のカム孔１４における縦孔部１５の上端部を貫通して上ケース２のカム孔１９における斜孔部２１の下端部に位置するとともに、下ケース１の突起１３が回転体１０の回転腕３５に設けたガイド孔３６の下端部に位置している。
【００３１】
捺印する場合は、図７及び図８に示すように、上ケース２が上昇している状態で、ロック体４５の脚部５２が内筒４の切欠凹部４８を下降できる状態にする。すなわち、図７に示すように、ロック体４５の頭部５１に設けた溝５４にコイン等を入れてその頭部５１を回転させることにより位置を合わせる。
【００３２】
そして、下ケース１の下端を紙面４２に接触させて、上ケース２を下方へ押し込むと、上ケース２のリブ４３がバネ受け５を下に押してバネ３を圧縮しながら下ケース１に対して上ケース２が下方へスライドする。このとき、内筒４は内筒係止体７によりバネ３の力に抗して下ケース１に固定されて下方への移動が阻止されているので、上ケース２のカム孔１９における斜孔部２１の下端部の縁によって突起３７が下方へ押される回転体１０だけが下降することになる。したがって、図９に示すように、朱肉皿８は印面４１に対し平行な姿勢で下降しながら印面４１から離れていく。上ケース２が所要ストローク下降すると、内筒４の上端面が上ケース２の上面に当接し、又、ロック体４５の脚部５２が内筒４の切欠凹部４８を下方へ移動する。また、このとき、回転体１０の突起３７が上ケース２のカム孔１９の縁によって押され、下ケース１のカム孔１４における縦孔部１５の下端部まで移動するとともに、回転体１０の下降に伴い下ケース１の突起１３が回転体１０のガイド孔３６の上端部へ変位する。
【００３３】
次に、上ケース２の下降後期段階に移る。すなわち、さらに、上ケース２を下方へ押すと、内筒係止体７の係止片３３が内筒４の係止溝２３から脱出して係合状態を解消し、内筒４は上ケース２と共に下ケース１に対して下降する。このとき、回転体１０の突起３７は上ケース２のカム孔１９における斜孔部２１と、下ケース１のカム孔１４におけるカーブ孔部１６に沿って移動することになり、それに伴い回転体１０が下ケース１の突起１３を中心として回転し、図１０に示すように、回転体１０は略９０度回転して、下ケース２の開放窓部１２と上ケース２の切欠部１８を通り抜けて外部に突出するとともに、印鑑４０の下方を開放する。
【００３４】
さらに、上ケース２を下降させると、内筒４に保持された印鑑４０の印面４１が紙面４２に接触して捺印が可能となる。
【００３５】
捺印終了後、上ケース２に対する押下力を解除すると、バネ３の復元力により上ケース２が上昇するとともに、回転体１０が逆方向に回転する。すなわち、回転体１０及び朱肉皿８は下ケース１の内部へ没入するように逆方向に回転する。それから回転体１０は上ケース２とともに上昇して、再び朱肉９を平行に印面４１に接触させる。
【００３６】
ところで、図１０に示すように、回転体１０を略９０度回転させて、下ケース２の開放窓部１２と上ケース２の切欠部１８を通り抜けて外部に露出させた状態にすれば、朱肉皿８を上方へ引き抜くことにより回転体１０から外して、新しい朱肉皿８と交換することができる。すなわち、回転体１０を取り外すことなく、その回転体１０に対して朱肉皿８を脱着することができる。なお、朱肉皿８は回転体１０に対し横方向から脱着自在であるが、この場合は回転体１０が横向きになっているので、朱肉皿８は上下方向に脱着することになる。
【００３７】
次に、図１１及び図１２は第２実施例の回転体１０と朱肉皿８の取付構造を示したものである。回転体１０は左右一対の回転腕３５を有し、その下端部どうしは朱肉皿載置台３４を介して連続している。そして、その朱肉皿載置台３４の下面側に被係止凹部６２を設けている。朱肉皿８は底板６３の下側に同底板６３と平行で先端部を自由端とした片持ばり形状の弾性係止板３８を設けている。また、弾性係止板３８は先端上面部に係止爪６４を設けている。
【００３８】
図１２のＡに示すように、回転体１０の朱肉皿載置台３４は、朱肉皿８の底板６３と弾性係止板３８との間に挿入可能であり、その挿入状態で、図１２のＢに示すように、弾性係止板３８の係止爪６４が朱肉皿載置台３４の被係止凹部６２に対して係止可能である。また、弾性係止板３８を下方へ撓ませることにより係止爪６４を被係止凹部６２から外すことも可能である。すなわち、朱肉皿８は回転体１０の朱肉皿載置台３４に対し横方向から脱着自在である。朱肉皿８は、もちろん、上面凹部に朱肉９を収容可能である。なお、図１１に示すように、回転体１０は回転腕３５における前後方向の中央部に縦方向のガイド孔３６を穿設するとともに、回転腕３５の外面には突起３７を設けることができ、その突起３７の位置はガイド孔３６より僅かに横方向へずらすことができる。
【００３９】
この第２実施例の回転体１０と朱肉皿８を、上記の第１実施例の回転体１０と朱肉皿８の代わりに用いて、図６に示した他の部品とともに、印鑑ホルダーを構成することも可能である。その印鑑ホルダーの構造と作動は上記の第１実施例の回転体１０と朱肉皿８を用いた印鑑ホルダーと同一である。また、回転体１０を略９０度回転させて、下ケース２の開放窓部１２と上ケース２の切欠部１８を通り抜けて外部に露出させた状態にすれば、同様に、朱肉皿８を上方へ引き抜くことにより回転体１０から外して、新しい朱肉皿８と交換することができる。すなわち、回転体１０を取り外すことなく、その回転体１０に対して朱肉皿８を脱着することができる。
【００４０】
次に、図１３及び図１４は第３実施例の回転体１０と朱肉皿８の取付構造を示したものである。回転体１０は左右一対の回転腕３５を有し、その下端部どうしは朱肉皿載置台３４を介して連続している。そして、その朱肉皿載置台３４の下側に同朱肉皿載置台３４に平行な裏板６５を設けている。朱肉皿８は底板６３の下側に同底板６３と平行で先端部を自由端とした片持ばり形状の弾性係止板３８を設けている。また、弾性係止板３８の先端下面部に係止爪６６を設けている。
【００４１】
図１４のＡに示すように、朱肉皿８の弾性係止板３８は、回転体１０の朱肉皿載置台３４と裏板６５との間に挿入可能であり、その挿入状態で、図１４のＢに示すように、弾性係止板３８の係止爪６６が裏板６５の側縁部に対して係止可能である。また、弾性係止板３８の先端を上方へ撓ませることにより係止爪６６を裏板６５の側縁部から外すことも可能である。すなわち、朱肉皿８は回転体１０の朱肉皿載置台３４に対し横方向から脱着自在である。
【００４２】
この第３実施例の回転体１０と朱肉皿８を、上記の実施例１の回転体１０と朱肉皿８の代わりに用いて、図６に示した他の部品とともに、印鑑ホルダーを構成することも可能である。その印鑑ホルダーの構造と作動は上記の第１実施例の回転体１０と朱肉皿８を用いた印鑑ホルダーと同一である。また、回転体１０を略９０度回転させて、下ケース２の開放窓部１２と上ケース２の切欠部１８を通り抜けて外部に露出させた状態にすれば、同様に、朱肉皿８を上方へ引き抜くことにより回転体１０から外して、新しい朱肉皿８と交換することができる。すなわち、回転体１０を取り外すことなく、その回転体１０に対して朱肉皿８を脱着することができる。
【００４３】
次に、図１５乃至図１７は第４実施例の回転体１０と朱肉皿８の取付構造を示したものである。回転体１０は左右一対の回転腕３５を有し、その下端部どうしは朱肉皿載置台３４を介して連続している。そして、その朱肉皿載置台３４の下側に同朱肉皿載置台３４に平行な裏板６５を設けている。朱肉皿８は底板６３の下側に同底板６３と平行で先端部を自由端とした片持ばり形状の弾性係止板３８を設けている。その弾性係止板３８は先端部が二股状に分割している。そして、その弾性係止板３８における二股状分割片６７のそれぞれの側縁部に係止爪６９を設けている。
【００４４】
図１６のＡ及び図１７のＡに示すように、朱肉皿８の弾性係止板３８は、回転体１０の朱肉皿載置台３４と裏板６５との間に挿入可能であり、その挿入状態で、図１６のＢ及び図１７のＢに示すように、弾性係止板３８における二股状分割片６７の係止爪６９が、回転体１０の裏板６５の両端を朱肉皿載置台３４に接続する側板６８の側縁部に対し係止可能である。また、弾性係止板３８の二股状分割片６７をそれぞれ内方へ変形させることにより係止爪６９を側板６８の側縁部から外すことも可能である。すなわち、朱肉皿８は回転体１０の朱肉皿載置台３４に対し横方向から脱着自在である。
【００４５】
この第４実施例の回転体１０と朱肉皿８を、上記の実施例１の回転体１０と朱肉皿８の代わりに用いて、図６に示した他の部品とともに、印鑑ホルダーを構成することも可能である。その印鑑ホルダーの構造と作動は上記の第１実施例の回転体１０と朱肉皿８を用いた印鑑ホルダーと同一である。また、回転体１０を略９０度回転させて、下ケース２の開放窓部１２と上ケース２の切欠部１８を通り抜けて外部に露出させた状態にすれば、同様に、朱肉皿８を上方へ引き抜くことにより回転体１０から外して、新しい朱肉皿８と交換することができる。すなわち、回転体１０を取り外すことなく、その回転体１０に対して朱肉皿８を脱着することができる。
【００４６】
次に、図１８乃至図２０は第５実施例の回転体１０と朱肉皿８の取付構造を示したものである。回転体１０は左右一対の回転腕３５を有し、その下端部どうしは朱肉皿載置台３４を介して連続している。この回転体１０の朱肉皿載置台３４は断面が円形の丸棒状を呈している。また、回転体１０は回転腕３５の側縁部に被係止フック７１を設けている。朱肉皿８は底板６３の下面側に略半筒状を呈する弾性挟止片７０を設けている。また、朱肉皿８は側面部に突起７２を設けている。
【００４７】
図１９のＡに示すように、朱肉皿８の底板６３を回転体１０に向けた姿勢で、回転体１０の丸棒状の朱肉皿載置台３４に対し、横方向から、図１９のＢに示すように、その略半筒状の弾性挟止片７０を朱肉皿載置台３４の外周部に嵌着することができる。それから、朱肉皿８を回転させて、図１９のＣ及び図２０に示すように、朱肉皿８を水平な姿勢（回転腕３５に対しては垂直な姿勢）にすることができる。すなわち、朱肉皿８の略半筒状の弾性挟止片７０は丸棒状の朱肉皿載置台３４に嵌着した状態で朱肉皿載置台３４の周方向へ摺接しながら回動可能である。そして、朱肉皿８を水平な姿勢にしたときに、朱肉皿８の突起７２を回転腕３５の被係止フック７１に係止して固定することができる。また、朱肉皿８を逆方向へ回転させれば、突起７２を被係止フック７１から外すことができ、さらに、朱肉皿８を外方向へ引っ張れば弾性挟止片７０を朱肉皿載置台３４から外すことができる。
【００４８】
この第５実施例の回転体１０と朱肉皿８を、上記の第１実施例の回転体１０と朱肉皿８の代わりに用いて、図６に示した他の部品とともに、印鑑ホルダーを構成することも可能である。その印鑑ホルダーの構造と作動は上記の第１実施例の回転体１０と朱肉皿８を用いた印鑑ホルダーと同一である。また、回転体１０を略９０度回転させて、下ケース２の開放窓部１２と上ケース２の切欠部１８を通り抜けて外部に露出させた状態にすれば、同様に、朱肉皿８を上方へ引き抜くことにより回転体１０から外して、新しい朱肉皿８と交換することができる。すなわち、回転体１０を取り外すことなく、その回転体１０に対して朱肉皿８を脱着することができる。
【図面の簡単な説明】
【００４９】
【図１】第１実施例の回転体と朱肉皿と朱肉の分解斜視図である。
【図２】第１実施例の朱肉皿を回転体に組み付ける前の断面図である。
【図３】第１実施例の朱肉皿と回転体とを組み付けた状態の斜視図である。
【図４】図３のＡ−Ａ線における断面図である。
【図５】図３のＢ−Ｂ線における断面図である。
【図６】回転体と朱肉皿以外の印鑑ホルダー構成部品の分解斜視図である。
【図７】印鑑ホルダーの全体構造を示す断面図である。
【図８】上ケースが上昇している状態における印鑑ホルダーの一部を断面とした側面図である。
【図９】上ケースを途中まで下降させた状態における印鑑ホルダーの一部を断面とした側面図である。
【図１０】回転体を回転させて朱肉皿をケースの外部へ露出させた状態における印鑑ホルダーの一部を断面とした側面図である。
【図１１】第２実施例の回転体と朱肉皿と朱肉の分解斜視図である。
【図１２】第２実施例の朱肉皿を回転体に組み付ける工程を示す一部を断面とした側面図である。
【図１３】第３実施例の回転体と朱肉皿と朱肉の分解斜視図である。
【図１４】第３実施例の朱肉皿を回転体に組み付ける工程を示す一部を断面とした側面図である。
【図１５】第４実施例の回転体と朱肉皿と朱肉の分解斜視図である。
【図１６】第４実施例の朱肉皿を回転体に組み付ける工程を示す一部を断面とした側面図である。
【図１７】第４実施例の朱肉皿を回転体に組み付ける工程を示す一部を断面とした底面図である。
【図１８】第５実施例の回転体と朱肉皿と朱肉の分解斜視図である。
【図１９】第５実施例の朱肉皿を回転体に組み付ける工程を示す一部を断面とした側面図である。
【図２０】第５実施例の朱肉皿を回転体に組み付けた状態を示す底面図である。
【符号の説明】
【００５０】
１    下ケース
２    上ケース
３    バネ
４    内筒
５    バネ受け
６    調節ネジ
７    内筒係止体
８    朱肉皿
９    朱肉
１０    回転体
１１    印鑑固定バネ
１２    開放窓部
１３    突起
１４    カム孔
１５    縦孔部
１６    カーブ孔部
１７    窓孔
１８    切欠開放部
１９    カム孔
２０    縦孔部
２１    斜孔部
２２    内孔
２３    係止溝
２４    バネ受け装着溝
２５    横溝部
２６    縦溝部
２７    中心孔
２８    爪片
２９    通孔
３０    基板
３１    中心孔
３２    腕片
３３    係止片
３４    朱肉皿載置台
３５    回転腕
３６    ガイド孔
３７    突起
３８    弾性係止板
４０    印鑑
４１    印面
４２    紙面
４３    リブ
４４    雌ネジ
４５    ロック体
４６    天板
４７    ロック体取付孔
４８    切欠凹部
４９    フック係合部
５０    中心孔
５１    頭部
５２    脚部
５３    フック
５４    溝
５５    突起
６２    被係止凹部
６３    底板
６４    係止爪
６５    裏板
６６    係止爪
６７    二股状分割片
６８    側板
６９    係止爪
７０    突起
７１    被係止フック
７２    突起
７３    内面
７４    被係止部
７５    係止部
７６    押えリブ
７７    側面
７８    曲面部
７９    平坦部
８０    リブ
８１    ツバ部
【図１】
2006312324.tif 000003
【図２】
2006312324.tif 000004
【図３】
2006312324.tif 000005
【図４】
2006312324.tif 000006
【図５】
2006312324.tif 000007
【図６】
2006312324.tif 000008
【図７】
2006312324.tif 000009
【図８】
2006312324.tif 000010
【図９】
2006312324.tif 000011
【図１０】
2006312324.tif 000012
【図１１】
2006312324.tif 000013
【図１２】
2006312324.tif 000014
【図１３】
2006312324.tif 000015
【図１４】
2006312324.tif 000016
【図１５】
2006312324.tif 000017
【図１６】
2006312324.tif 000018
【図１７】
2006312324.tif 000019
【図１８】
2006312324.tif 000020
【図１９】
2006312324.tif 000021
【図２０】
2006312324.tif 000022